(57)【要約】【課題】球形の頭部全体に隙間無くサンプリング点が配置されるよう、照射・受光点を配置する。【解決手段】ひし形シェルを複数枚組み合わせ、隣合うシェルの入射・受光点配置を反転させることにより、球形の頭部全体を被ってサンプリング点を配置する。【効果】頭部全体を被える全脳プローブを提供し、一枚の画像で全脳の画像を見ることができる。【選択図】　図２
2004121702.tif 000002
【特許請求の範囲】
【請求項１】
複数の光照射器と複数の光検出器を用いて生体の代謝物質濃度変化又は血流の変化を計測する生体光計測装置に於いて、
被験者の頭部に装着するプローブであって、正方格子を斜変形させた菱形の格子状に前記光照射器の照射部と前記光検出器の受光部とが交互に並ぶ部分配列を４つ含み、これら部分配列が半球状に並んで成る照射部、受光部の配列を有するプローブを備えることを特徴とする生体光計測装置。
【請求項２】
前記部分配列の菱形のの頂角が可変であることを特徴とする請求項１の生体光計測装置。
【請求項３】
前記部分配列は、正方格子を斜変形させた菱形の格子の格子点位置に前記照射部と受光部とを保持する可塑性部材より成る保持部で保持されることを特徴とする請求項１に記載の生体光計測装置。
【請求項４】
前記保持部は、前記照射部と受光部とをそれぞれ成す光ファイバをそれぞれ固定する複数の光ファイバ固定ソケットと、前記光ファイバソケット同士を連結する転結部材を含み、網の目状を成すことを特徴とする請求項３に記載の生体光計測装置。
【請求項５】
前記部分配列は、それぞれの部分配列の外側の辺同士がほぼ並行になるにように並ぶことを特徴とする請求項１に記載の生体光計測装置。
【請求項６】
前記部分配列はそれぞれの部分配列の外側の辺同士が各部分配列内の隣接する照射部と受光部との距離とほぼ等しい距離だけ隔てて並び、かつ隣接する部分配列同士ではそれぞれの部分配列を成す照射部と受光部との配置が反転していることを特徴とする請求項１の生体光計測装置。
【請求項７】
複数の光照射器と複数の光検出器を用いて生体の代謝物質濃度変化又は血流の変化を計測する生体光計測装置に於いて、
被験者の頭部に装着するプローブであって、正方格子状に前記光照射器の照射部と前記光検出器の受光部とが交互に並ぶ長方形の部分配列を中心に、正方格子を斜変形させた菱形の格子状に前記光照射器の照射部と前記光検出器の受光部とが交互に並ぶ部分配列が左右に並んで成る照射部、受光部の配列を有するプローブを備えることを特徴とする生体光計測装置。
【請求項８】
複数の光照射器と複数の光検出器を用いて生体の代謝物質濃度変化又は血流の変化を計測する生体光計測装置に於いて、
被験者の頭部に装着するプローブであって、正方格子を斜変形させた菱形の格子状に前記光照射器の照射部と前記光検出器の受光部とが交互に並ぶ第１の部分配列と、正方格子状に前記光照射器の照射部と前記光検出器の受光部とが交互に並ぶを第２の部分配列含むプローブと、
前記プローブを用いて計測された信号分布を表示する表示手段であり、前記第１の部分配列に対応する信号分布の配置を前記第２の部分配列の対応する信号分布の配置と同様に正方格子
状の配置に補正して表示する表示手段とを備えたことを特徴とする生体光計測装置。
【発明の詳細な説明】
【０００１】
【発明の属する技術分野】
光を用いて生体の代謝物質濃度もしくはその濃度変化を計測する生体光計測装置に関し、特に、頭部の代謝物質濃度を計測するためのプローブに関する。
【０００２】
【従来の技術】
脳活動に伴う大脳皮質での血液量変化を多点で計測し、その血液量変化を動画像や静止画像として表示する技術（生体光計測装置）が、既にＭｅｄｉｃａｌ　Ｐｈｙｓｉｃｓ，　ｖｏｌ．２２，　Ｎｏ．１２，　ｐｐ１９９７−２００５　（１９９５）（Ａｔｓｕｓｈｉ　Ｍａｋｉ，　Ｙｕｉｃｈｉ　Ｙａｍａｓｈｉｔａ，　Ｙｏｓｈｉｔｏｓｈｉ　Ｉｔｏ，　Ｅｉｊｙｕ　Ｗａｔａｎａｂｅ，　Ｙｏｓｈｉａｋｉ　Ｍａｙａｎａｇｉ，　ａｎｄ　Ｈｉｄｅａｋｉ　Ｋｏｉｚｕｍｉ，　”Ｓｐａｔｉａｌ　ａｎｄ　ｔｅｍｐｏｒａｌ　ａｎａｌｙｓｉｓ　ｏｆ　ｈｕｍａｎ　ｍｏｔｏｒ　ａｃｔｉｖｉｔｙ”）、及びＮｏｎ−ｉｎｖａｓｉｖｅ　ｍｅａｓｕｒｅｍｅｎｔ　ｏｆ　ｌａｎｇｕａｇｅ　ｆｕｎｃｔｉｏｎ　ｂｙ　ｕｓｉｎｇ　ｏｐｔｉｃａｌ　ｔｏｐｏｇｒａｐｈｙ，　Ｐｒｏｃｅｅｄｉｎｇｓ　ｏｆ　ＳＰＩＥ，　ｖｏｌ．　３５９７，　ｐｐ２３０−２３７　（Ｔｓｕｙｏｓｈｉ　Ｙａｍａｍｏｔｏ，　Ｙｕｉｃｈｉ　Ｙａｍａｓｈｉｔａ，　Ｈｉｒｏｓｈｉ　Ｙｏｓｈｉｚａｗａ，　Ａｔｓｕｓｈｉ　Ｍａｋｉ，　Ｍａｋｏｔｏ　Ｉｗａｔａ，　Ｅｉｊｕ　Ｗａｔａｎａｂｅ，　Ｈｉｄｅａｋｉ　Ｋｏｉｚｕｍｉ）に記載されている。これらでは、図１に示すような配置のプローブを使用している。入射用光ファイバが接続されている８個の照射点１と、検出用光ファイバが接続されている８個の受光点２を、３０ｍｍ間隔の正方格子状のシェル３上に交互に配置する。照射・受光点のほぼ中間点をサンプリング点４とする。従って、９０ｍｍ×９０ｍｍの領域にサンプリング点が約２１ｍｍ間隔で２４個存在することになる。上記光計測装置では、サンプリング点を挟む照射・受光点の間隔が、ほぼ一定の距離（図１の場合３０ｍｍ）でなければならない。
上記のような正方格子状のプローブを球形の頭部に密着させるのは困難であるので、次のような発明が既に開示されている。
連結軸から枝状に伸びた枝状部を持ち、頭部形状にフィットする生体光計測装置用プローブが、特開２００１―２８６４４９に記載されている。
格子状に配置したプローブの連結部が回転し、さらに各プローブを保持する保持部が伸縮性を持つことを特徴とする生体光計測装置用プローブが、特開２００２―１４３１６９に記載されている。
頭部の複数の領域を正方格子で埋め、その隙間を多角形で埋めることにより頭部全体を被うプローブが、特開２００２―１１０１２に記載されている。
また、プローブを被験者の頭部に幾何学的に配置し、被験者の脳組織を非破壊的に計測する装置が特表２００２―５０２６５３に記載されている。
【０００３】
【発明が解決しようとする課題】
前述した生体光計測装置及びプローブには、以下のような課題が存在する。
前述のプローブは、頭部を部分的に被う、または、頭部を領域毎に分け、領域毎にプローブセットを配置して頭部全体を被うという物であった。従って、脳全体の代謝状態を１枚の連続的な画像で表すことができなかった。
また、従来の正方格子状プローブ配置では、照射・受光点の距離をほぼ一定に保ったまま複数の照射・受光点のセットを配置して、頭部の少なくとも上部半分を覆うことが困難であった。
【０００４】
本発明は、上記の問題を鑑みてなされたものであり、球形の頭部に密着し、頭部の少なくとも上半分の、脳に相当する部分を一枚の画像で表示するためになされたものである。
【０００５】
【課題を解決するための手段】
上記の課題を解決するために、以下のような解決手段を提供する。
正方格子では球状に沿わないため、正方格子を斜変形し、ひし形状のシェルを使用する（図２）。さらに、ひし形の鋭角の角が頭頂部にくるようにひし形を複数並べ、隣合うひし形の辺がほぼ等距離になるよう配置する（図３）。隣合うひし形シェル状の照射・受光点の配置を逆転し、さらに、辺と辺の距離を照射・受光点間の距離とほぼ等しくすることにより、隣合うひし形の間にもサンプリング点が可能となる（図２）。
このようにして得られたひし形配置のサンプリング点を、正方格子になるように補正をかければ（図４）、一枚の二次元画像として脳全体の血流状態を表示することが可能となる（図５）。
【０００６】
【発明の実施の形態】
本発明に基づく実施の形態を以下に記述する。
図１は、従来のプローブ配置を示す図である。照射点１と受光点２は、正方格子状のシェル３上にほぼ等間隔に配置されている。シェル３は被験者５の頭部に装着される。ランプ、発光ダイオード、半導体レーザ等から照射される測定光は、入射用光ファイバを通って照射点１から被験者５に入射される。被験者５の頭部内の大脳皮質部分を伝播した光は、受光点２にそれぞれ取り付けられた検出用光ファイバを通ってフォトダイオード、光電子増倍管等の光照射器に送られ、検出される。大脳皮質内の血流状態に依存して検出される光の強度が変動するので、光が伝播してきた大脳皮質内の血液の増減が計測できる。検出信号は、光が伝播してきた部分全ての血流情報を反映しているが、便宜上照射点１と受光点２のほぼ中点をサンプリング点４とし、計測された信号値はこのサンプリング点４の血流情報とすることができる。隣接する照射点と受光点のペアでそれぞれ定まる複数のサンプリング点の血液情報から血流分布画像を得ることができる。
図２は、本発明の１実施例のプローブの照射点、受光点配置の展開図を示す。正方格子を斜変形させたひし形のシェル３を４枚並べる。シェル３上に、照射点１と受光点２を交互に配置する。すなわち、正方格子を斜変形させた菱形の格子状に光照射器の照射部と光検出器の受光部とが交互に並ぶ部分配列が４つ組み合わせられて全体の配列を成す。隣合うシェルでは、照射点１と受光点２の配置は逆転するようにする。実際にプローブを頭部に配置する場合、頭部は球形になっているので、シェル３の辺が補正線６及び８上に乗るように配置される。このシェル間の距離をひし形格子の長さＬとほぼ同じ値に設定すれば、隣り合うシェルの照射・受光点の間も、同じシェル上の場合と同様に計測でき、シェルの間の中線７上にもサンプリング点３ができる。従って、３ｘ３のシェル４枚で６ｘ６の頭部全体の画像が得られることになる。
また、ひし形の内角は、頭のサイズに合わせて変化させてもよい。小さな頭ならば内角が小さい値のひし形にし、大きな頭ならば内角が大きい値のひし形シェルを使用する。さらに、入射・受光点を繋ぐ部分の長さは伸びないが、ひし形の頂角は変化可能なように、シェル３を可塑性のある素材で作製すれば、頭にフィットするシェルが実現する。例えば、伸縮性が低いシリコンゴム等の素材を用いてもよい。また、シェル３は、図２に太線で示す連結部材のみで形成した網状のものでも良いし、シート状のものでも良い。さらに、薄いシートと、照射点受光点間の長さを保つ連結部材とを組み合わせた構造のものでも良い。なお、この連結部材が実際に連結するのは光ファイバ固定ソケットであり、その詳細構造は後に述べる。
上記のひし形シェル３を４枚使ったプローブを被験者５に装着した様子を図３に示す。図３（ａ）は被験者の正面図、図３（ｂ）は被験者の頭頂からの図である。ひし形のシェル３の頂点が頭頂部を囲むように配置され、前頭部左右、後頭部左右にシェル３が配置されている。シェル間の距離がほぼ一定に保たれていれば、頂点部分は頭頂以外の部分を囲むように配置してもよい。また、シェルの配置も、前頭部、右側頭部、左即頭部、及び後頭部のような配置にしてもよい。もちろん、シェル間の距離をぼほ一定に保っていれば、いずれの位置にも配置してもよい。
図２のようにひし形展開図のまま画像を表示すると、平面の画像として見づらいので、図４のような配置になるよう補正をかける。ひし形を正方格子になるよう補正すると、平面上で正方格子が補正線６、８に沿うように配置され、一枚の平面画像で頭部全体が表示される。
上記のように補正した画像の表示例が図５である。ひし形から正方格子になるよう補正をかけ、補正をかけられた複数のサンプリング点４を結んで間を補間した画像９を、同様の補正をかけて歪ませた頭部像１０に重ねている。頭部像にも照射・受光位置と同様の補正をかけ歪ませているので、計測画像上の信号変化位置と頭部の位置を対応させやすくなる。また、計測画像と重ねる画像として、同様な補正をかけた脳の展開図を用いてもよい。さらに、ひし形から正方格子という補正法以外にも、見やすい形式に補正をかけてもよい。もちろん、補正をかけずに３次元表示にしてもよい。
図６は、プローブ配置の別の実施例である。４ｘ４のシェルを４枚使用して、８ｘ８の画像を得ることができる。なお、シェルの枚数は４枚でなくともよい。ただし、シェル間を全て計測するために偶数枚である必要がある。
図７は、プローブ配置のさらに別の実施例である。基本的に４ｘ４のシェルを４枚使用して、８ｘ８の画像を得る計測であるが、目、及び首付近に配置される照射・受光点を１つのシェル当り５点取除いている。つまり、この５点には光ファイバは接続されない。このように部分的に光ファイバを取り外すことにより、光を目の近くに照射しない等の安全性が確保できる。
なお、上記のように意図して光ファイバを外したのではなく、トラブル等によりある受光点２に入力信号が無かった場合、あるいは信号値のＳ／Ｎが悪かった場合、その受光点２の信号を用いずに、付近の一つ又は複数の受光点の信号値を用いて、その受光点２の信号を推定し、その部分の領域の画像を補間してもよい。
図８も同様に、プローブ配置の一実施例である。これも同様に４ｘ４のシェルを４枚使用して８ｘ８の画像を得る計測であるが、１つのシェル当り６個の照射・受光点を除いている。
図９は、図７の配置のプローブを被験者５の頭部に装着した場合を示す。目の付近の照射・受光点を取り外しているので安全である。これまでの説明では、ひし形のシェル４枚を被験者頭部に配置してプローブが形成される。実際には、完成されたプローブは必ずしもそれらのシェルに分解できる構造である必要はない。図２、図６、図７および図８の展開図では、あたかも各シェルの内部にのみ連結部材があるように図示されるが、これは構成の理解の容易の為である。図９に示す通り、完成されたプローブではシェル同士も全く同様な連結部材で始めから連結さている。以降の展開図にも同様な省略があることに注意されたい。
図１０は、さらに別のプローブ配置の実施例である。この場合、各々のシェル３を離して配置せず、隣合うシェルの照射照射点同志、受光点同志の位置が重なるように配置し、一点で両方のシェルの照射・受光点を兼ねるようにする。つまり、図１０の実線で書かれた照射点１は、隣合うのシェル上の点線で書かれた重なる受光点１１も兼ねることになる。
図１０の配置のプローブの装着例を図１１に示す。隣合うシェルの照射点、受光点は兼用されている。
図１２は、別のプローブ配置の実施例である。隣合うシェルの距離を２Ｌとし、そのほぼ中間の線１３上にに照射点１と受光点２を１列配置する。ひし形の左右のシェルを正方配列のシェルで連結した構造と言うこともできる。この配置は、前後に長い形状の頭部を持つ被験者に適している。さらに、頭頂付近のサンプリング点３の密度が高くなるので、頭頂付近の解像度が高くなるという効果もある。
図１３は、図１２と同様に、隣合うシェルの間の線１３上に一列の照射・受光点がある配置のまた別の実施例である。この配置は、前後に長い形状の頭部によりフィットするシェルの配置である。
図１４は、図１３の配置のプローブを被験者に装着したときの、シェルの配置を示している。図１４（ａ）被験者の正面図、図１４（ｂ）被験者の頭頂からの図である。ひし形のシェル３が被験者５の側頭部にくるように装着する。
図１５も同様に、図１３の配置のプローブを被験者に装着したときの図である。
図１６は、上記の図６の配置のプローブを使用して測定したデータを、図４のように補正をかけ、画像として表示した図である。この場合、計測画像９と重ねる頭部像１０は、補正をかけた像ではなく、単純化した頭部像を使用している。照射点１と受光点２の間のサンプリング点３は、照射・検出間距離が３０ｍｍの場合約２１ｍｍ間隔に配置される。計測画像９は、シェル３の面積よりもひとまわり小さい８角形の画像となる。なお、トラブル等により、良質な信号が得られなかったサンプリング点がある場合、周辺のサンプリング点を使用して、信号が得られなかったサンプリング点の値を推定し、画像を補間してもよい。
図１７は、各ひし形シェル３上の照射または受光点を１個取り外した場合の、図１６と同様の補正をかけた計測画像である。欠損した点１５の周囲のサンプリング点１６が得られないので、計測画像９は図１７に示すような形状となる。
図１８は、各ひし形シェル３上の照射または受光点を３個取り外した場合の、図１６と同様の補正をかけた計測画像である。
図１９は、各ひし形シェル３上の照射または受光点を６個取り外した場合、つまり図８の配置のプローブを使用した場合の、図１６と同様の補正をかけた計測画像である。
図２０は、各ひし形シェル３上の照射または受光点を５個取り外した場合、つまり図７の配置のプローブを使用した場合の、図１６と同様の補正をかけた計測画像である。
図２１は、本発明のプローブを被験者に装着する場合の、プローブ固定法の一実施例である。図２１（ａ）は被験者の正面図、（ｂ）は背面図、（ｃ）は側面図である。シェル３上には照射・受光点に接続された光ファイバ固定ソケット１７が取付けられており、そこの光ファイバが差込まれ、固定できるようになっている。光ファイバ固定ソケットの上からは、固定用帽子１８を被せて、プローブ全体を頭から落ちないように固定する。帽子１８には紐がついており、あご、わきの下等で縛って固定する。または、帽子に伸縮性素材を用い、帽子のみでプローブを固定してもよい。さらにまた、帽子の縁にゴムまたはベルトをつけ、締めつけて固定してもよい。なお、これらの場合、固定が被験者の負担にならないよう、きつく縛ったり締めたりしないようにする。また、横臥した状態で測定する場合、固定ソケット１７に荷重がかからないよう枕１９を被験者の首近くに設置し、後頭部を浮かせるとよい。この場合、枕１９は帽子に取付けてあるが、横臥用ベットの上に置いても良いし、ベットに固定してもよい。
図２２は、本発明のプローブを被験者に装着する場合の、別のプローブ固定法の一実施例である。プローブが、ヘルメット２０の中に固定されており、被験者はヘルメット２０を被った状態で測定される。シェル３には光ファイバ固定用ソケット下部材１７―１が取付けられており、光ファイバ先端部２１が挿入されている。光ファイバ固定用ソケット下部材１７―１にはバネ２２―１が入っており、光ファイバ先端部２１が上下に動くようになっている。従って、ヘルメット２０を被験者５が被ったときに光ファイバ先端部２１は引っ込むので、被験者５に痛みを与えにくい。光ファイバ固定用ソケット下部材１７―１は、ヘルメット２０内部に固定された光ファイバ固定用ソケット上部材１７―２に挿入されており、光ファイバ固定用ソケット上部材１７―２の中のバネ２２―２により上下に動くようになっている。従って、被験者５の頭の形状によりシェル３が変形するので、シェルが頭にフィットし易く、さらに痛みも与え難くなるという効果がある。バネ２２―１または２２―２の代りに、緩衝材の役割を果たす別の素材又は器具、又は弾性のある素材又は器具を用いても良い。その場合、光ファイバ固定用ソケット上部材１７―２を用いずともよい。若しくは、光ファイバ固定用ソケット下部材１７―１を用いずともよい。光ファイバ先端部２１から伸びている光ファイバ２３は、シェル３とヘルメット２０の間の空間を通って、ヘルメット２０の首付近の端からまとめて外部に出されている。ヘルメット２０の端から外に出す以外に、ヘルメットの特定の部分に１個又は複数の穴を開け、そこから光ファイバ２３を外に出してもよい。また、シェル３とヘルメット２０の間の空間は、空洞にしておいてもよいし、ゲル、スポンジ等の緩衝材で埋めてもよい。その際は、光ファイバ２３を通り道を空けておくようにする。
また、光ファイバ固定ソケット下部材１７―１の頭部に接する部位には、スポンジやゲル状の緩衝材を貼りつけてもよい。それにより、頭皮への刺激が軽減される。さらに、スポンジに生理食塩水をしみ込ませたり、導電性のゲル素材を用いて緩衝材に導電性を持たせ、前記緩衝材に電線を繋ぐことにより、脳波測定用電極として用いてもよい。これにより、光計測と脳波計測を同時に行うことが可能となる。あるいは、ソケットとソケットの間に脳波測定用電極がくるように、ソケットと電極を別々に配置してもよい。
図２３は、図２２のヘルメット形状のプローブの変形例を示す。ヘルメットは図２３（ａ）に示すヘルメット前部２０―２とヘルメット後部２０―１の２つの構造体で形成され、両者はヒンジで開閉可能に接続されている。各構造体の内部に光ファイバが取り付けられるシェルを有し、頭部の大きさと形状に合わせてそれら光ファイバやシェルが外側に押し広げられる構造をもつ点は図２２のものと同様である。図２３（ｂ）に示すヘルメット前部２０―２とヘルメット後部２０―１が開いた状態で被験者５の頭に被せ、その後ヘルメット前部２０―２を閉めて装着する。なお、ヘルメット前部２０―２にはサンバイザー状またはゴーグル状のモニタ２４が取りつけ可能である。モニタ２４は、視覚情報もしくは視覚刺激を被験者に与えながら脳内活動を光計測する場合に用いられる。さらに、ヘルメットにイヤフォン２５を取りつけ、音声情報もしくは聴覚刺激を被験者に与えながら計測を行ってもよい。この変形例では、自分でヘルメットを被ることが出来ない被験者、例えば新生児等に装着することが容易となる。ヘルメットが前後に分かれる以外にも、左右に分かれても良いし、後部と前の右部、前の左部のように３つに分かれてもよい。また、３つ以上に分かれても良い。自分でヘルメットを装着できる被験者に対しては、分かれる形状ではなく、一体型で、押し広げて被るタイプのヘルメットを使用してもよい。
図２４は、図２２もしくは図２３のヘルメット型プローブを装着し横臥した状態で計測する場合を示している。ヘルメット２０はベッド２６の上に固定されるか、または置かれている。被験者５の首の保護のために、枕１９がベット又はヘルメットに固定されるか、またはベット２６の上に置かれている。光ファイバ２３は、被験者２３の下に敷かれないように、ベッド２６の中を通って外に出されている。このとき、枕１９の中も通っても良い。こうすることにより、光ファイバが被験者５の下敷きになったり、邪魔になったりすることが防止できる。
さらに、これらヘルメットには、被験者の気持ちが和むような色、模様、絵等を描いてもよい。例えば、プローブとしての機能を失わない程度に、動物等のキャラクターに模した形状にしてもよい。
【図面の簡単な説明】
【図１】従来の光計測装置用プローブの一例を示す図である。
【図２】本発明の実施例の光計測装置用プローブのシェルを平面に展開して配置を示す図である。
【図３】上記実施例のプローブを装着した状態でのシェルの配置を示す図である。
【図４】上記実施例のプローブの実際のシェルの送光部、受光部の配置を補正して平面表示した図である。
【図５】上記実施例で得る光計測画像の表示を示す図である。
【図６】別の実施例のプローブのシェルを平面に展開して配置を示す図である。
【図７】更に別の実施例のプローブのシェルを平面に展開して配置を示す図である。
【図８】更に別の実施例のプローブのシェルを平面に展開して配置を示す図である。
【図９】図７のプローブの装着状態での送光部、受光部の配置を示す図である。
【図１０】更に別の実施例のプローブのシェルを平面に展開して配置を示す図である。
【図１１】図１０のプローブの装着状態での送光部、受光部の配置を示す図である。
【図１２】更に別の実施例のプローブのシェルを平面に展開して配置を示す図である。
【図１３】更に別の実施例のプローブのシェルを平面に展開して配置を示す図である。
【図１４】図１３のプローブの装着状態でのシェルの配置を示す図である。
【図１５】図１３のプローブの装着状態での送後部、受光部の配置を示す図である。
【図１６】図６のプローブを用いる実施例の光計測画像を示す図である。
【図１７】プローブが異なる場合の光計測画像を示す図である。
【図１８】プローブが更に異なる場合の光計測画像を示す図である。
【図１９】図８のプローブを用いる実施例の光計測画像を示す図である。
【図２０】図７のプローブを用いる実施例の光計測画像を示す図である。
【図２１】各実施例のプローブの頭部への固定法を示す図である。
【図２２】別の実施例のプローブを示す図である。
【図２３】更に別のプローブを示す図である。
【図２４】図２２もしくは図２３のプローブの使用状態を示す図である。
【符号の説明】
１：照射点、２：受光点、３：シリコンゴム等の素材で作られたシェル、４：照射・受光点のほぼ中間に位置するサンプリング点、５：被験者、６：ひし形を正方格子に補正する為の補正線、７：シェル間のサンプリング点が乗る中間線、８：ひし形を正方格子に補正する為の補正線、９：計測画像、１０：計測画像と重ねて、位置関係をわかり易くする為の被験者の頭部像、１１：隣のシェルの照射点または受光点と重なり、兼用される照射点または受光点、１２：隣のシェルのサンプリング点と重なるサンプリング点、１３：両側のシェルから距離Ｌだけ離れた、シェル間に配置される照射・受光点の列が配置される中間線、１４―１：サンプリング点が乗る中間線、１４―２：サンプリング点が乗る中間線、１５：光ファイバまたは光ファイバ固定ソケットを取り外してある照射点または受光点の位置、１５：光ファイバまたは光ファイバ固定ソケットを取り外してあるので、じっさいには計測されないサンプリング点の位置、１７：光ファイバ固定ソケット、１７―１：光ファイバ固定ソケット下部材、１７―２：光ファイバ固定ソケット上部材、１８：プローブ固定用帽子、１９：被験者の首固定用枕、２０：ヘルメット、２０―１：ヘルメット後部、２０―２：ヘルメット前部、２１：光ファイバ先端部、２２―１：バネ、２２―２：バネ、２３：光ファイバ、２４：視覚刺激用モニタ、２５：聴覚刺激用イヤフォン、２６：ベット。
【図１】
2004121702.tif 000003
【図２】
2004121702.tif 000004
【図３】
2004121702.tif 000005
【図４】
2004121702.tif 000006
【図５】
2004121702.tif 000007
【図６】
2004121702.tif 000008
【図７】
2004121702.tif 000009
【図８】
2004121702.tif 000010
【図９】
2004121702.tif 000011
【図１０】
2004121702.tif 000012
【図１１】
2004121702.tif 000013
【図１２】
2004121702.tif 000014
【図１３】
2004121702.tif 000015
【図１４】
2004121702.tif 000016
【図１５】
2004121702.tif 000017
【図１６】
2004121702.tif 000018
【図１７】
2004121702.tif 000019
【図１８】
2004121702.tif 000020
【図１９】
2004121702.tif 000021
【図２０】
2004121702.tif 000022
【図２１】
2004121702.tif 000023
【図２２】
2004121702.tif 000024
【図２３】
2004121702.tif 000025
【図２４】
2004121702.tif 000026